【手続補正書】
【提出日】平成20年6月24日(2008.6.24)
【手続補正１】
【補正対象書類名】明細書
【補正対象項目名】特許請求の範囲
【補正方法】変更
【補正の内容】
【特許請求の範囲】
【請求項１】  レーザー光源と、前記レーザー光源から出射される光ビームを受け光ディスク上へ微小スポットに収束させる対物レンズを含む集光光学系と、前記光ディスクで反射した光ビームを受け光量に応じて電気信号を出力する光検出器と、前記集光光学系の球面収差量を制御する収差補正光学系とを有する光ピックアップと、
前記光ディスクを回転するモーターと、
前記光ピックアップから得られる信号を受けるとともに、前記レーザー光源と前記対物レンズと前記収差補正光学系と前記モーターとを制御する制御回路と
を具備し、
少なくとも第１の記録層と第２の記録層とを備えた多層光ディスクに対して情報の記録又は再生を行なう光ディスク装置であって、
前記第１の記録層から前記第２の記録層への、前記微小スポットの焦点位置の移動が完了する前に、
前記収差補正光学系は、前記第１の記録層に適した球面収差の補正量から前記第２の記録層に適した球面収差の補正量へ向けて、前記球面収差の補正量の変更を開始することを特徴とする光ディスク装置。
【請求項２】  前記微小スポットの焦点位置の移動と、前記球面収差の補正量の変更とをほぼ同時に開始することを特徴とする請求項１に記載の光ディスク装置。
【請求項３】  前記微小スポットの焦点位置の移動を開始する前に、前記球面収差の補正量の変更を開始することを特徴とする請求項１に記載の光ディスク装置。
【請求項４】  前記球面収差の補正量の変更が完了した後、前記微小スポットの焦点位置の移動を開始することを特徴とする請求項３に記載の光ディスク装置。
【請求項５】  前記球面収差の補正量の変更量が、前記第１の記録層と前記第２の記録層との間の標準的な中間層の厚さに対応していることを特徴とする請求項１に記載の光ディスク装置。
【請求項６】  前記球面収差の補正量の変更量が、前記光ディスク装置に前記多層光ディスクを挿入した際あるいは前記光ディスク装置の電源を入れた際に学習して得た、前記第１の記録層に適した球面収差の補正量と、前記第２の記録層に適した球面収差の補正量との差であることを特徴とする請求項１に記載の光ディスク装置。
【請求項７】
前記微小スポットの焦点位置が前記第１の記録層から前記第２の記録層へと移動した後に、前記球面収差の補正量を、再度前記第２の記録層に適した球面収差の補正量に調整することを特徴とする請求項１〜７のいずれか一項に記載の光ディスク装置。
【請求項８】  レーザー光源と、前記レーザー光源から出射される光ビームを受け光ディスク上へ微小スポットに収束させる対物レンズを含む集光光学系と、前記光ディスクで反射した光ビームを受け光量に応じて電気信号を出力する光検出器と、前記集光光学系の球面収差量を制御する収差補正光学系とを有する光ピックアップと、
前記光ディスクを回転するモーターと、
前記光ピックアップから得られる信号を受けるとともに、前記レーザー光源と前記対物レンズと前記収差補正光学系と前記モーターとを制御する制御回路と
を具備した光ディスク装置を用いて、
少なくとも第１の記録層と第２の記録層とを備えた多層光ディスクに対して情報の記録又は再生を行なう記録再生方法であって、
前記第１の記録層から前記第２の記録層への、前記微小スポットの焦点位置の移動が完了する前に、
前記収差補正光学系は、前記第１の記録層に適した球面収差の補正量から前記第２の記録層に適した球面収差の補正量へ向けて、前記球面収差の補正量の変更を開始することを特徴とする多層光ディスクの記録再生方法。
【請求項９】  前記微小スポットの焦点位置の移動と、前記球面収差の補正量の変更とをほぼ同時に開始することを特徴とする請求項８に記載の多層光ディスクの記録再生方法。
【請求項１０】  前記微小スポットの焦点位置の移動を開始する前に、前記球面収差の補正量の変更を開始することを特徴とする請求項８に記載の多層光ディスクの記録再生方法。
【請求項１１】  前記球面収差の補正量の変更が完了した後、前記微小スポットの焦点位置の移動を開始することを特徴とする請求項１０に記載の多層光ディスクの記録再生方法。
【請求項１２】  前記球面収差の補正量の変更量が、前記第１の記録層と前記第２の記録層との間の標準的な中間層の厚さに対応していることを特徴とする請求項８に記載の多層光ディスクの記録再生方法。
【請求項１３】  前記球面収差の補正量の変更量が、前記光ディスク装置に前記多層光ディスクを挿入した際あるいは前記光ディスク装置の電源を入れた際に学習して得た、前記第１の記録層に適した球面収差の補正量と、前記第２の記録層に適した球面収差の補正量との差であることを特徴とする請求項８に記載の多層光ディスクの記録再生方法。
【請求項１４】
前記微小スポットの焦点位置が前記第１の記録層から前記第２の記録層へと移動した後に、前記球面収差の補正量を、再度前記第２の記録層に適した球面収差の補正量に調整することを特徴とする請求項８〜１３のいずれか一項に記載の多層光ディスクの記録再生方法。
【手続補正２】
【補正対象書類名】明細書
【補正対象項目名】発明の名称
【補正方法】変更
【補正の内容】
【発明の名称】光ディスク装置及び多層光ディスクの記録再生方法
【手続補正３】
【補正対象書類名】明細書
【補正対象項目名】０００１
【補正方法】変更
【補正の内容】
【０００１】
【発明の属する技術分野】
本発明は、光情報媒体としての光ディスク上に情報を記録、再生あるいは消去を行う光ピックアップを備えた光情報装置（以下、「光ディスク装置」という）と、上記光ディスク上に情報を記録、再生あるいは消去を行う記録再生方法に関する。
【手続補正４】
【補正対象書類名】明細書
【補正対象項目名】００１８
【補正方法】変更
【補正の内容】
【００１８】
本発明の光ディスク装置は、レーザー光源と、前記レーザー光源から出射される光ビームを受け光ディスク上へ微小スポットに収束させる対物レンズを含む集光光学系と、前記光ディスクで反射した光ビームを受け光量に応じて電気信号を出力する光検出器と、前記集光光学系の球面収差量を制御する収差補正光学系とを有する光ピックアップと、前記光ディスクを回転するモーターと、前記光ピックアップから得られる信号を受けるとともに、前記レーザー光源と前記対物レンズと前記収差補正光学系と前記モーターとを制御する制御回路とを具備し、少なくとも第１の記録層（第１層）と第２の記録層（第２層）とを備えた多層光ディスクに対して情報の記録又は再生を行なう光ディスク装置であって、前記第１の記録層から前記第２の記録層への、前記微小スポットの焦点位置の移動が完了する前に、前記収差補正光学系は、前記第１の記録層に適した球面収差の補正量から前記第２の記録層に適した球面収差の補正量へ向けて、前記球面収差の補正量の変更を開始することを特徴とする。
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】変更
【補正の内容】
【００３８】
次に、本発明の多層光ディスクの記録再生方法は、レーザー光源と、前記レーザー光源から出射される光ビームを受け光ディスク上へ微小スポットに収束させる対物レンズを含む集光光学系と、前記光ディスクで反射した光ビームを受け光量に応じて電気信号を出力する光検出器と、前記集光光学系の球面収差量を制御する収差補正光学系とを有する光ピックアップと、前記光ディスクを回転するモーターと、前記光ピックアップから得られる信号を受けるとともに、前記レーザー光源と前記対物レンズと前記収差補正光学系と前記モーターとを制御する制御回路とを具備した光ディスク装置を用いて、少なくとも第１の記録層と第２の記録層とを備えた多層光ディスクに対して情報の記録又は再生を行なう記録再生方法であって、前記第１の記録層から前記第２の記録層への、前記微小スポットの焦点位置の移動が完了する前に、前記収差補正光学系は、前記第１の記録層に適した球面収差の補正量から前記第２の記録層に適した球面収差の補正量へ向けて、前記球面収差の補正量の変更を開始することを特徴とする。
【手続補正１４】
【補正対象書類名】明細書
【補正対象項目名】００４６
【補正方法】削除
【補正の内容】
【手続補正１５】
【補正対象書類名】明細書
【補正対象項目名】００４７
【補正方法】削除
【補正の内容】
【手続補正１６】
【補正対象書類名】明細書
【補正対象項目名】００４８
【補正方法】削除
【補正の内容】
【手続補正１７】
【補正対象書類名】明細書
【補正対象項目名】００４９
【補正方法】削除
【補正の内容】
【手続補正１８】
【補正対象書類名】明細書
【補正対象項目名】００５２
【補正方法】削除
【補正の内容】
【手続補正１９】
【補正対象書類名】明細書
【補正対象項目名】００５３
【補正方法】削除
【補正の内容】
【手続補正２０】
【補正対象書類名】明細書
【補正対象項目名】００５６
【補正方法】削除
【補正の内容】
【手続補正２１】
【補正対象書類名】明細書
【補正対象項目名】００５７
【補正方法】削除
【補正の内容】
【手続補正２２】
【補正対象書類名】明細書
【補正対象項目名】００５８
【補正方法】削除
【補正の内容】
【手続補正２３】
【補正対象書類名】明細書
【補正対象項目名】００５９
【補正方法】削除
【補正の内容】
【手続補正２４】
【補正対象書類名】明細書
【補正対象項目名】００６０
【補正方法】削除
【補正の内容】
【手続補正２５】
【補正対象書類名】明細書
【補正対象項目名】００６１
【補正方法】削除
【補正の内容】
【手続補正２６】
【補正対象書類名】明細書
【補正対象項目名】００６２
【補正方法】削除
【補正の内容】
【手続補正２７】
【補正対象書類名】明細書
【補正対象項目名】００６３
【補正方法】削除
【補正の内容】
【手続補正２８】
【補正対象書類名】明細書
【補正対象項目名】００６４
【補正方法】削除
【補正の内容】
【手続補正２９】
【補正対象書類名】明細書
【補正対象項目名】００６５
【補正方法】削除
【補正の内容】
【手続補正３０】
【補正対象書類名】明細書
【補正対象項目名】００６６
【補正方法】削除
【補正の内容】
【手続補正３１】
【補正対象書類名】明細書
【補正対象項目名】００６７
【補正方法】削除
【補正の内容】